(57)【要約】【解決手段】本発明は、複数の物品保持リブ４により、１個の物品Ｂが収容される物品収容部Ａが、多数形成されているとともに、物品収容部の中央部に透孔１ａが形成されている底部１を有する洗浄用トレーＴであって、底部の中央部に位置する中央高位置物品保持リブ４ａが、洗浄用トレーを段積みした際に、上方に位置する洗浄用トレーの底部に当接するような高さに形成されており、また、中央高位置物品保持リブ以外の物品保持リブが、洗浄用トレーを段積みした際に、上方に位置する洗浄用トレーの底部に当接しないような高さに形成したものである。【発明の効果】  底部の中央部の強度や剛性が高まり、底部の下方への撓みを、抑制することができ、従って、物品の損傷を防止することができるとともに、洗浄用トレーの廃品比率を低下することができる。【選択図】図２
2014034395.tif 000002
【特許請求の範囲】
【請求項１】
複数の物品保持リブにより、１個の物品が収容される物品収容部が、多数形成されているとともに、物品収容部の中央部に透孔が形成されている底部を有する洗浄用トレーであって、底部の中央部に位置する中央高位置物品保持リブが、洗浄用トレーを段積みした際に、上方に位置する洗浄用トレーの底部に当接するような高さに形成されており、また、中央高位置物品保持リブ以外の物品保持リブが、洗浄用トレーを段積みした際に、上方に位置する洗浄用トレーの底部に当接しないような高さに形成されていることを特徴とする洗浄用トレー。
【請求項２】
中央高位置物品保持リブに、洗浄液流通用切欠きが形成されていることを特徴とする請求項１に記載の洗浄用トレー。
【請求項３】
底部と透孔側に位置する物品保持リブとにより形成される隅部に、物品載置用突部が形成されていることを特徴とする請求項１又は請求項２に記載の洗浄用トレー。
【請求項４】
中央高位置物品保持リブより外側に位置する底部の裏面に、水平移動抑制リブが垂設されていることを特徴とする請求項１〜請求項３のいずれか１項に記載の洗浄用トレー。
【発明の詳細な説明】
【技術分野】
【０００１】
本発明は、洗浄用トレーに収容された物品に付着した機械油や不純物等を洗浄するための洗浄用トレーに関するものである。
【背景技術】
【０００２】
従来、洗浄用トレーに収容された物品を洗浄するために、物品が収容された洗浄用トレーを、洗浄液タンクに浸漬して、物品の洗浄を行なうことが、一例として、特許文献１に開示されている。
【先行技術文献】
【特許文献】
【０００３】
【特許文献１】特開２００７−１０６４４９号公報
【発明の概要】
【発明が解決しようとする課題】
【０００４】
従来、洗浄用トレーの底部と該底部から物品を囲むように立設された物品保持リブとにより形成された物品収容部に、物品を収容し、その後、物品が収容された洗浄用トレーを、洗浄液タンクに浸漬し、洗浄用トレーを水平方向、或いは、上下方向に、振動させることにより、物品を洗浄することが行われているが、物品保持リブの高さが高いと、物品保持リブにより、洗浄液の流動性が阻害され、物品の洗浄効率が低下したり、物品に付着した機械油や不純物等が、残存するという問題があった。
【０００５】
また、物品保持リブによる洗浄液の流動性の阻害の発生を抑制するために、物品保持リブの高さを低くすることが行われているが、物品保持リブの高さを低くすると、洗浄用トレーの強度が低下し、特に、物品が重量物である場合には、底部が下方に撓み、物品収容部に収容された物品が損傷したり、また、底部の下方への撓みが元に戻らず、洗浄用トレーが廃品となるという問題があった。更に、洗浄液の温度が高い場合には、底部の下方への撓みが助長され、洗浄用トレーの廃品比率が高くなるとなるという問題があった。
【０００６】
更に、物品が、洗浄されているかどうかを、目視により検査することが行われているが、物品保持リブの高さが、物品の高さより高いと、物品の洗浄状態の目視検査が困難になるという問題があった。
【０００７】
本発明の目的は、上述した従来の洗浄用トレーが有する課題を解決することにある。
【課題を解決するための手段】
【０００８】
本発明は、上述した目的を達成するために、複数の物品保持リブにより、１個の物品が収容される物品収容部が、多数形成されているとともに、物品収容部の中央部に透孔が形成されている底部を有する洗浄用トレーであって、第１には、底部の中央部に位置する中央高位置物品保持リブが、洗浄用トレーを段積みした際に、上方に位置する洗浄用トレーの底部に当接するような高さに形成されており、また、中央高位置物品保持リブ以外の物品保持リブが、洗浄用トレーを段積みした際に、上方に位置する洗浄用トレーの底部に当接しないような高さに形成したものであり、第２には、中央高位置物品保持リブに、洗浄液流通用切欠きを形成したものであり、第３には、底部と透孔側に位置する物品保持リブとにより形成される隅部に、物品載置用突部を形成したものであり、第４には、中央高位置物品保持リブより外側に位置する底部の裏面に、水平移動抑制リブを垂設したものである。
【発明の効果】
【０００９】
上述したように、複数の物品保持リブにより、１個の物品が収容される物品収容部が、多数形成されているとともに、物品収容部の中央部に透孔が形成されている底部を有する洗浄用トレーであって、底部の中央部に位置する中央高位置物品保持リブが、洗浄用トレーを段積みした際に、上方に位置する洗浄用トレーの底部に当接するような高さに形成されており、また、中央高位置物品保持リブ以外の物品保持リブが、洗浄用トレーを段積みした際に、上方に位置する洗浄用トレーの底部に当接しないような高さに形成したので、底部の中央部の強度や剛性が高まり、底部の下方への撓みを、抑制することができ、従って、物品の損傷を防止することができるとともに、洗浄用トレーの廃品比率を低下することができる。また、中央高位置物品保持リブに、洗浄液流通用切欠きを形成したので、洗浄液の流通阻害が緩和され、物品の洗浄効率が高められる。更に、底部と透孔側に位置する物品保持リブとにより形成される隅部に、物品載置用突部を形成したので、底部と物品との間には、物品載置用突部の高さに相当する間隙が形成されることになり、従って、この間隙を通して、洗浄液が流通することになり、物品に洗浄効率が高められる。更にまた、中央高位置物品保持リブより外側に位置する底部の裏面に、水平移動抑制リブを垂設したので、段積みした際には、上に位置する洗浄用トレーの底部の裏面に垂設された水平移動抑制リブに、下に位置する洗浄用トレーに形成された中央高位置物品保持リブの上端部が嵌合するように構成されているので、段積みされた洗浄用トレーの水平移動を抑制することができ、従って、段積みされた洗浄用トレーが崩れることを防止することができる。
【図面の簡単な説明】
【００１０】
【図１】図１は、本発明の洗浄用トレーの斜視図である。
【図２】図２は、本発明の洗浄用トレーの一部断面を含む拡大斜視図である。
【図３】図３は、同じく、本発明の洗浄用トレーの一部断面を含む更なる拡大斜視図である。
【図４】図４は、同じく、本発明の洗浄用トレーの一部断面を含む更なる拡大斜視図である。
【図５】図５は、本発明の洗浄用トレーが段積みされた状態の一部断面を含む拡大斜視図である。
【図６】図６は、本発明の洗浄用トレーに収容される物品の上面斜視図である。
【図７】図７は、本発明の洗浄用トレーに収容される物品の下面斜視図である。
【図８】図８は、物品が収容された状態の本発明の洗浄用トレーの斜視図である。
【図９】図９は、本発明の洗浄用トレーに収容される物品反転部材の斜視図である。
【図１０】図１０は、本発明の洗浄用トレーに、物品反転部材が収容された状態の斜視図である。
【図１１】図１１は、本発明の洗浄用トレーの物品反転部材が反転された状態の斜視図である。
【実施例】
【００１１】
以下に、本発明の実施例について説明するが、本発明の趣旨を越えない限り何ら、本実施例に限定されるものではない。
【００１２】
洗浄用トレーＴは、平面形状が略方形状の底部１と、底部１を囲むように立設された周壁２と、周壁２の上端から外側に略水平に延在するフランジ３とを有している。
【００１３】
底部１の略全面には、透孔１ａが穿設されており、底部１には、各透孔１ａを囲むように、それぞれ、物品保持リブ４が立設されている。本実施例には、一例として、透孔１ａを囲むように、透孔１ａ側に凹面を有するセグメント状の物品保持リブ４が、３個、配置されている例が示されている。底部１に穿設された透孔１ａを囲むように立設された物品保持リブ４により、１個の物品が収容される物品収容部Ａが形成されることになる。また、底部１と透孔１ａ側に位置する物品保持リブ４の垂直側壁４’とにより形成される隅部の略中央部には、物品が載置される物品載置用突部５が形成されている。物品収容部Ａに収容された物品は、その底面の全面が、直接、底部１に接触することなく、物品載置用突部５に載置されることになるので、底部１と物品との間には、物品載置用突部５の高さに相当する間隙が形成されることになる。従って、この間隙を通して、洗浄液が流通することになり、物品に洗浄効率が高められることになる。
【００１４】
底部１の中央部に位置する透孔１ａ１の周囲に形成された物品保持リブ４ａの高さは、他の物品保持リブ４より高く形成されている。底部１の中央部に位置する透孔１ａ１の周囲に形成された物品保持リブ４ａの高さは、洗浄用トレーＴを段積みした際に、上方に位置する洗浄用トレーＴの底部１に当接するような高さに形成されており、また、底部１の中央部に位置する透孔１ａ１の周囲に形成された物品保持リブ４ａ以外の物品保持リブ４の高さは、洗浄用トレーＴを段積みした際に、上方に位置する洗浄用トレーＴの底部１には、当接しないような高さに形成されている。以下、底部１の中央部に位置する高い物品保持リブ４ａを、中央高位置物品保持リブ４ａと称し、また、中央高位置物品保持リブ４ａより、高さの低い物品保持リブ４を、上述したように、物品保持リブ４と称する。
【００１５】
上述したように、底部１の中央部に、中央高位置物品保持リブ４ａを形成することにより、底部１の中央部の強度や剛性が高まり、底部１の下方への撓みを、抑制することができる。従って、物品の損傷を防止することができるとともに、洗浄用トレーＴの廃品比率が低下することになる。
【００１６】
また、中央高位置物品保持リブ４ａの略中央部には、中央高位置物品保持リブ４ａの中程から底部１を越えて下方に延在する洗浄液流通用切欠き６が形成されている。このように、中央高位置物品保持リブ４ａに、洗浄液流通用切欠き６を形成することにより、中央高位置物品保持リブ４ａを形成したことによる洗浄液の流通阻害が緩和され、物品の洗浄効率が高められることになる。なお、中央高位置物品保持リブ４ａの中程から底部１を越えて下方に延在する洗浄液流通用切欠き６を形成することに代えて、中央高位置物品保持リブ４ａの略中央部の中程から、中央高位置物品保持リブ４ａの上端まで延在する洗浄液流通用切欠きを形成することもできる。
【００１７】
洗浄液流通用切欠き６を挟んで、洗浄液流用通切欠き６の両側に位置する中央高位置物品保持リブ４ａに対応して、底部１の裏面には、中央高位置物品保持リブ４ａより外側、換言すれば、底部１の中央部に位置する透孔１ａ１より、遠ざかる方向に位置する水平移動抑制リブ７が垂設されている。
【００１８】
洗浄用トレーＴを、図５に示されているように、段積みした際には、上に位置する洗浄用トレーＴａの底部１の裏面に垂設された水平移動抑制リブ７に、下に位置する洗浄用トレーＴｂに形成された中央高位置物品保持リブ４ａの上端部が嵌合するように構成されている。このように構成することにより、段積みされた洗浄用トレーＴの水平移動を抑制することができ、従って、段積みされた洗浄用トレーＴが崩れることを防止することができる。
【００１９】
また、洗浄用トレーＴの底部１には、上述した透孔１ａ、１ａ１に加えて、適当数の追加透孔８を穿設することができる。底部１に、このような追加透孔８を穿設することにより、洗浄用トレーＴを、物品の洗浄作業のために、洗浄液タンク内において、上下動した場合における洗浄用トレーＴを通過する洗浄液の抵抗を、透孔１ａ、１ａ１だけの場合に較べて低減化することができるとともに、洗浄用トレーＴ内への洗浄液の出入が促進され、物品の洗浄効率が向上する。
【００２０】
更に、洗浄用トレーＴの周壁２にも、周壁側透孔２ａを穿設することができる。洗浄用トレーＴの周壁２に、このような周壁側透孔２ａを穿設することにより、物品の洗浄作業の際に、洗浄用トレーＴ内への洗浄液の出入が促進され、物品の洗浄効率が向上する。
【００２１】
更にまた、図１に示されているように、洗浄用トレーＴの周壁２の４つの角部２ｂの１つ角部２ｂ１には、隣り合う周壁２を連結する傾斜部２ｃが形成されている。
【００２２】
次に、図６及び図７を用いて、洗浄用トレーＴに形成された物品収容部Ａに収容される物品Ｂの一例について説明する。
【００２３】
物品Ｂは、平面形状が略三角形状の平板部ｂ１と、平板部ｂ１の中央部に立設された円柱部ｂ２とを有しており、平板部ｂ１には、３個の嵌合角部ｂ１ａが形成されている。洗浄用トレーＴに形成された物品収容部Ａに物品Ｂが収容された際には、図８に示されているように、物品Ｂの嵌合角部ｂ１ａが、洗浄用トレーＴに形成された物品保持リブ４、４ａに嵌合されるように構成されている。なお、洗浄用トレーＴに形成された物品収容部Ａに物品Ｂが収容された際には、物品Ｂの平板部ｂ１が、洗浄用トレーＴの底部１に形成された物品載置用突部５に載置され、物品Ｂの円柱部ｂ２が、上方に位置するように構成されている。
【００２４】
次に、図９を用いて、物品収容部Ａに収容された物品Ｂの洗浄作業後に、物品Ｂの平板部ｂ１の裏面等の洗浄作業を目視検査するために、物品収容部Ａに収容された物品Ｂを反転するための物品反転部材Ｃについて説明する。
【００２５】
物品反転部材Ｃは、洗浄用トレーＴの平面形状が略方形状の底部１と略同じ大きさの方形状の板材により形成されている。物品反転部材Ｃには、物品Ｂの円柱部ｂ２が嵌合される嵌合孔ｃ１が穿設されている。嵌合孔ｃ１の数は、洗浄用トレーＴに収容される物品Ｂの数に対応しており、本実施例においては、洗浄用トレーＴには、５行×５列の合計２５個が収容されているので、物品反転部材Ｃにも、物品Ｂの円柱部ｂ２が嵌合される嵌合孔ｃ１が２５孔、穿設されている。また、嵌合孔ｃ１の配列は、洗浄用トレーＴに収容された物品Ｂの配列と同じになるように構成されている。
【００２６】
物品反転部材Ｃの中央部に位置する嵌合孔（以下、単に、中央嵌合孔と称し、符号ｃ１ａを付す。）を中心として、物品反転部材Ｃの中央部には、物品Ｂの平板部ｂ１と略同様の形状を有する位置決め凹部ｃ２が形成されている。位置決め凹部ｃ２には、洗浄用トレーＴの底部１に形成された３個の中央高位置物品保持リブ４ａが嵌合される位置決め隅部ｃ２ａが形成されている。また、位置決め凹部ｃ２の底面ｃ２ｂと位置決め凹部ｃ２の周壁ｃ２ｃとにより形成される隅部には、位置決め凹部ｃ２の底面ｃ２ｂから物品反転部材Ｃの上面Ｃ’まで延在するとともに、中央嵌合孔ｃ１ａまでは達しない、複数の物品支持リブｃ２ｄが形成されている。このように、物品支持リブｃ２ｄの上面と物品反転部材Ｃの上面Ｃ’とは、面一となるように形成されている。
【００２７】
物品反転部材Ｃの４つの角部の１つには、洗浄用トレーＴの周壁２の４つの角部２ｂの１つ角部２ｂ１に形成された周壁２の傾斜部２ｃに対応して、位置決め切欠き傾斜部ｃ３が形成されている。
【００２８】
次に、主として、図８、図１０及び図１１を用いて、物品反転部材Ｃの使用について説明する。
【００２９】
洗浄用トレーＴの物品収容部Ａに収容された物品Ｂを、洗浄液タンクに浸漬し、洗浄用トレーＴを水平方向、或いは、上下方向に、振動させることにより、物品Ｂを洗浄することになるが、物品Ｂの洗浄が終了した際には、洗浄用トレーＴを、洗浄液タンクから引き上げ、図８に示されている状態で、物品Ｂの平板部ｂ１の上面や側面や円柱部ｂ２の洗浄状態や傷状態を、目視や検査機等により検査する。
【００３０】
上述した物品Ｂの洗浄作業後に、物品Ｂが収容された洗浄用トレーＴに、物品反転部材Ｃの位置決め凹部ｃ２が、下方に位置するように、且つ、物品反転部材Ｃの４つの角部の１つに形成された位置決め切欠き傾斜部ｃ３が、洗浄用トレーＴの周壁２の４つの角部２ｂの１つ角部２ｂ１に形成された周壁２の傾斜部２ｃに対応するように、物品Ｂが収容された洗浄用トレーＴに物品反転部材Ｃを収容する。次いで、物品反転部材Ｃに収容された洗浄用トレーＴの上下を反転させた後、洗浄用トレーＴを、上方に持ち上げることにより、図１１に示されているように、物品反転部材Ｃに収容された物品Ｂの平板部ｂ１が上方に位置することになる。この状態では、物品Ｂの平板部ｂ１の裏面（平板部ｂ１の円柱部ｂ２が立設されている面と反対側に位置する面）ｂ１ａが上方に位置することになるので、物品Ｂの平板部ｂ１の裏面ｂ１ａの洗浄状態や傷状態を、目視や検査機等により検査する。
【００３１】
また、物品反転部材Ｃに収容された洗浄用トレーＴの上下を反転させた際には、物品反転部材Ｃの中央部に位置する位置決め凹部ｃ２に収容された物品Ｂ以外の物品Ｂの平板部ｂ１は、物品反転部材Ｃの裏面Ｃ”が当接しているが、位置決め凹部ｃ２には、物品反転部材Ｃの上面Ｃ’と面一な物品支持リブｃ２ｄが形成されているので、位置決め凹部ｃ２に収容された物品Ｂと他の物品収容部Ａに収容された物品Ｂとが、同一状態となるので、全物品Ｂの平板部ｂ１の裏面ｂ１ａの洗浄状態や傷状態を、同じ目線で検査することができ、従って、位置決め凹部ｃ２に収容された物品Ｂを、他の物品Ｂと同時に、且つ、同じ条件で検査することができる。
【符号の説明】
【００３２】
Ｃ・・・・・・・・・・・物品反転部材
Ｔ・・・・・・・・・・・洗浄用トレー
１・・・・・・・・・・・底部
１ａ・・・・・・・・・・透孔
４・・・・・・・・・・・物品保持リブ
４ａ・・・・・・・・・・中央高位置物品保持リブ
５・・・・・・・・・・・物品載置用突部
６・・・・・・・・・・・洗浄液流用通切欠き
７・・・・・・・・・・・水平移動抑制リブ
【図１】
2014034395.tif 000003
【図２】
2014034395.tif 000004
【図３】
2014034395.tif 000005
【図４】
2014034395.tif 000006
【図５】
2014034395.tif 000007
【図６】
2014034395.tif 000008
【図７】
2014034395.tif 000009
【図８】
2014034395.tif 000010
【図９】
2014034395.tif 000011
【図１０】
2014034395.tif 000012
【図１１】
2014034395.tif 000013